(57)【要約】【課題】ＣＤラベルにおいて金属光沢を有する非印刷部分を黒っぽくコピーせず、オリジナルのＣＤラベルに近いコピー画像を得ることができるディスクメディアのラベルコピー装置およびその制御方法を提供することを目的とするものである。【解決手段】ＣＤのデータ記録面の画像をスキャンし、このスキャンしたデータ記録面の画像と、ラベル面の画像とを比較し、互いに色が近い部分は、非印刷部分であると判定する。そして、本発明は、前記ラベル面の画像中、非印刷部分であると判定された部分についての読み取りデータを、ヌルデータに置換するなどの処理を行うディスクメディアのラベルコピー装置である。【選択図】図３
2007280484.tif 000002
【特許請求の範囲】
【請求項１】
ディスクメディアの表面を光学的に読み取るスキャナと前記スキャナが読み取った画像データを、前記ディスクメディアに印刷する機能とを具備するラベルコピー装置において、
ディスクメディアのデータ記録面について、前記スキャナが読み取った画像データを記憶する手段と；
前記読み取った画像データと、前記ディスクメディアのラベル面を読み取ったラベル面画像とを演算した結果に応じて、前記ラベル面画像データを処理する画像処理手段と；
前記画像処理されたラベル面スキャン画像データを、前記ディスクメディアに印刷する手段と；
を有することを特徴とするラベルコピー装置。
【請求項２】
ディスクメディアの表面を光学的に読み取るスキャナと前記スキャナが読み取った画像データを、前記ディスクメディアに印刷する機能とを具備するラベルコピー装置において、
ディスクメディアのデータ記録面の画像データを予め記憶する手段と；
前記読み取った画像データと、前記ディスクメディアのラベル面を読み取ったラベル面画像とを演算した結果に応じて、前記ラベル面画像データを処理する画像処理手段と；
前記画像処理されたラベル面スキャン画像データを、前記ディスクメディアに印刷する手段と；
を有することを特徴とするラベルコピー装置。
【請求項３】
請求項２において、
前記ディスクメディアのデータ記録面の画像データを予め記憶する手段は、ＲＯＭであることを特徴とするラベルコピー装置。
【請求項４】
請求項１において、
前記記録面スキャン画像の記憶手段は、前記記録面スキャン画像をスキャンして記憶する手段であることを特徴とするディスクメディアのラベルコピー装置。
【請求項５】
請求項１〜請求項４のいずれか１項において、
前記記録面スキャン画像の特定の画素と対応する位置に存在しているラベル面スキャン画像の画素を、前記記録面スキャン画像の特定の画素と比較演算し、色の類似度が特定量以上であれば、前記ラベル面スキャン画像の当該画素に色変換することを特徴とするラベルコピー装置。
【請求項６】
請求項１〜請求項５のいずれか１項において、
前記データ記録面のスキャン画像を回転方向に変倍処理した後に、前記記録面スキャン画像と前記ラベル面スキャン画像とを演算することを特徴とするラベルコピー装置。
【請求項７】
請求項１〜請求項６のいずれか１項において、
ラベル面スキャン画像を記憶する手段と；
前記ラベル面スキャン画像について、色空間を小領域に分割した領域毎に、特定の色の出現頻度を計測する手段と；
前記ラベル面スキャン画像における小領域において、特定の色の出現頻度が、特定値以上であれば、前記ラベル面スキャン画像の当該画素には処理を加えないことを特徴とするラベルコピー装置。
【請求項８】
スキャナと、前記スキャナが読み取ったディスクメディアのラベルを、印刷可能なディスクメディアにコピーするＣＤラベルコピー機能とを具備するラベルコピー装置の制御方法において、
ディスクメディアのデータ記録面の画像データを記憶する工程と；
前記記録面スキャン画像と、ラベル面の画像を読み取った画像であるラベル面スキャン画像とを演算した結果に応じて、前記ラベル面スキャン画像を処理するラベル面スキャン画像処理工程と；
前記ラベル面スキャン画像に処理を加えた画像を、前記印刷可能なディスクメディアに印刷する工程と；
を有することを特徴とするラベルコピー装置の制御方法。
【発明の詳細な説明】
【技術分野】
【０００１】
本発明は、ＣＤやＤＶＤなどのラベルにコピーする機能に関する。
【背景技術】
【０００２】
近年、インクジェットプリンタにスキャナを搭載したインクジェット複合機が普及している。このインクジェット複合機では、ＰＣからの指令によって印刷する機能の他に、スキャナ機能、コピー機能等が搭載されている。
【０００３】
インクジェット複合機の中で、ＣＤ−Ｒラベル面に印刷することができる製品も登場している。さらに、スキャナで読んだＣＤのラベル面を、プリンタブルＣＤ−Ｒのラベル面にコピーできる製品も登場した。
【０００４】
また、ＣＤ−Ｒのラベル面をコピーする装置が知られている（たとえば、特許文献１参照）。
【特許文献１】特開２００３−００１８７３号公報
【発明の開示】
【発明が解決しようとする課題】
【０００５】
しかし、ＣＤのラベルをコピーしようとすると、以下のような問題がある。
【０００６】
つまり、ＣＤのラベルは、印刷を行わなければ、ピット面の裏側のアルミの金属光沢が見える。この金属光沢を、積極的にデザインに利用し、印刷しない部分（以下、「非印刷部分」という）を作る。この非印刷部分は、人間の目には光って見えるものの、スキャナでスキャンすると黒っぽい画像として読み取られる。つまり、スキャナは、原稿面の乱反射成分を取得し、非印刷部は乱反射成分が少ないので、非印刷部を、低輝度の原稿であるとして読み取り、すなわち、非印刷部分が黒っぽい画像として認識する。
【０００７】
前記非印刷部分は、スキャナの照明光源から出た光の多くが、プラスチックの表面で正反射方向に反射し、さらに、プラスチック内部に侵入した光も、アルミ面で正反射方向に反射する成分が多い。すなわち、前記照明光源から出た光のうちで、読み取り面で乱反射する成分が少ないので、スキャナの受光素子に到達する成分が少なく、したがって、黒っぽく読み取られる。
【０００８】
図８は、全く印刷していないＣＤを読み取った後に、この読み取ったデータに特別な処理を施さずに印刷した場合を模式的に示した図である。
【０００９】
この結果、仮に、全く印刷していないＣＤを読み取ると、図８に示すように、読み取られ、全体的に黒っぽい上に、さらに濃い部分が存在すると認識される。このように認識されるのは、スキャナの照明光源とＣＤのピットとの相対関係によって、乱反射成分の量が異なるので、黒っぽい部分、さらに濃い部分が存在すると認識されるためである。なお、図８に示す例では、濃さが４段階であるように示されているが、実際には、グラデーションがある。
【００１０】
すなわち、スキャナで読み取ったＣＤラベルの画像を、何らかの印刷媒体に印刷する場合、ＣＤラベルの非印刷部分について、人が見ればきらきらした画像であると感じるが、この感じとは全く違う黒っぽい画像が印刷されるという問題がある。
【００１１】
本発明は、ＣＤラベルにおいて金属光沢を有する非印刷部分を黒っぽくコピーせず、オリジナルのＣＤラベルに近いコピー画像を得ることができるディスクメディアのラベルコピー装置およびその制御方法を提供することを目的とするものである。
【課題を解決するための手段】
【００１２】
本発明は、ＣＤのデータ記録面の画像をスキャンし、このスキャンしたデータ記録面の画像と、ラベル面の画像とを比較し、互いに色が近い部分は、非印刷部分であると判定する。そして、本発明は、前記ラベル面の画像中、非印刷部分であると判定された部分についての読み取りデータを、ヌルデータに置換するなどの処理を行うディスクメディアのラベルコピー装置である。
【発明の効果】
【００１３】
本発明によれば、ＣＤラベルにおいて金属光沢を有する非印刷部分を黒っぽくコピーせず、オリジナルのＣＤラベルに近いコピー画像を得ることができるという効果を奏する。
【発明を実施するための最良の形態】
【００１４】
発明を実施するための最良の形態は、次の実施例である。
【実施例１】
【００１５】
図１は、本発明の実施例１であるインクジェット複合機１００のブロック図である。
【００１６】
インクジェット複合機１００は、ディスクメディアのラベルコピー装置の一例であり、中央演算処理部（ＣＰＵ）１と、ＲＯＭ２と、記憶部（ＤＲＡＭ）３と、表示部５とを有する。また、インクジェット複合機１００は、操作部６と、記録部７と、カラー読取部８と、カードスロット９と、ＵＳＢインタフェース１０と、システムバス１１とを有する。
【００１７】
中央演算処理部（ＣＰＵ）１は、インクジェット複合機１００の全体を制御する。ＲＯＭ２は、プログラムおよびデータを記憶する。記憶部（ＤＲＡＭ）３は、ＣＰＵワークデータ、表示用データ、画像データなどを記憶する。
【００１８】
表示部５は、インクジェット複合機１００の状態表示や、操作の案内表示を行うＬＣＤ等で構成されている。操作部６は、カーソルキーなどによって構成されている。記録部７は、プリンタなどである。
【００１９】
カラー読取部８は、カラーＣＣＤなどによって構成されている。カードスロット９は、デジタルカメラなどのメモリカードを読み取る。ＵＳＢインタフェース１０は、インクジェット複合機１００を、スキャナやプリンタ、メモリカードリーダとして使用するときにＰＣと接続するためのインタフェースである。システムバス１１は、各処理部を接続するバスである。
【００２０】
図２は、インクジェット複合機１００における操作部６を示す外観構成図である。
【００２１】
操作部６は、表示部５と、各種設定モードを表示するメニューキー２２と、コピーやスキャンなどの各種ジョブを開始させるスタートキー２３と、ジョブのキャンセルや設定のリセットに使用するキャンセルキー２４とを有する。また、操作部６は、設定入力キーである決定キー２５と、設定項目の移動や値の変更に使用する上下左右キー２６と、ＭＦＰの動作モードを指定するモードキー２７とを有する。
【００２２】
次に、インクジェット複合機１００におけるＣＤラベルのコピー機能に関する操作について説明する。
【００２３】
モードキー２７の中のコピーキーを押し、続いてメニューキー２２を押す。表示部５に表示される各種のコピー機能から、ＣＤラベルコピー機能を、上下左右キー２６を使用して選択し、決定キー２５を押下する。この操作によって、ＣＤラベルのコピーが開始される。
【００２４】
次に、ＣＤラベルコピー動作について、説明する。
【００２５】
図３は、ＣＤラベルコピー動作を示すフローチャートである。
【００２６】
ＣＤラベルコピー動作が開始されると、Ｓ５０１で、「裏面（データ記録面）を原稿台に置いてスタートキーを押してください」等の内容のメッセージを、表示部５に表示する。その後、Ｓ５０２、Ｓ５０３では、スタートキー２３かキャンセルキー２４が押されることを待つ。
【００２７】
ユーザが、Ｓ５０３で、キャンセルキー２４を押下すと、Ｓ５０３から終了へ向かう。ユーザが、メッセージに従って、ＣＤの裏面（データ記録面）を原稿台に乗せ、スタートキー２３を押下すると、Ｓ５０２からＳ５０４へ進む。
【００２８】
Ｓ５０４では、１５０〜７５ｄｐｉ程度のコピー時よりも低い解像度でスキャンする。そして、スキャン画像に基づいて、ＣＤが置かれている位置を検出する。ＣＤの位置を検出する場合、輪郭を抽出するアルゴリズムを使用して、ＣＤの位置を検出する（特開平８−２３７５３７号公報の第１５頁、図１０に開示されている位置検出）。ＣＤの位置を検出したら、たとえばＡ４のスキャン画像から１２ｃｍ角のＣＤの部分を切り出し、次へ進む。
【００２９】
次に、Ｓ５０６で、スキャンしたデータ記録面画像を拡張処理する。
【００３０】
図４は、切り出したデータ記録面の画像を示す図である。
【００３１】
ラベル面に全く印刷をしていない場合（図８）と非常に似た画像として、スキャンされる。つまり、ピットのあるアルミ面を、表と裏とから見た画像であるので、読み取りデータとしては非常に類似している。したがって、このデータ記録面の読み取り画像を、比較参照することによって、ラベル面の非印刷部分を検出することができる。データ記録面を参照したラベル面の非印刷部分の判定方法を、後述する。
【００３２】
ただし、図４に示すデータ記録面のスキャン画像と、図８に示すラベル面画像とを比較すればわかるように、図４に示すデータ記録面画像の方が、濃い部分の面積が少ない。つまり、アルミのピットの面は、ＣＤの断面におけるラベル面に近い部分に存在するためである。すなわち、プラスチック表面からアルミのピット面までの距離が、データ記録面とラベル面とで異なるので、スキャン画像の違いが発生する。
【００３３】
ここで、参照画像としては、この差異（図４に示すデータ記録面のスキャン画像と、図８に示すラベル面画像との差）が小さいことが望ましいので、データ記録面画像を加工し、差異を小さくする。
【００３４】
具体的には、図４に示すデータ記録面の画像において、中心を通るｘ軸を基準として、図４に示す矢印Ａの方向（回転方向）に変倍する。この結果、図４に示す画像に基づいて、図８に近い画像を得ることができる。
【００３５】
図５は、ＣＤのデータ記録面をスキャンしたスキャン画像を拡張した状態を示す図である。
【００３６】
また、放射方向（Ｂ方向、Ｃ方向）に、画素をコピーし、図５に示す画像を作成する。
【００３７】
これによって、Ｓ５０４における位置検出精度が多少悪い場合、後述するラベル面の画像処理において、たとえば、ラベル面をスキャンした筈であるが、データ記録面画像が無色透明な外周部であったという不都合を防止できる。
【００３８】
Ｓ５０７では、図５に示すように処理した（Ｓ５０６）画像を、後の処理で参照できるように、ＤＲＡＭ３に記憶する。
【００３９】
続いて、Ｓ５０８では、「ラベル面を原稿台に置いてスタートキーを押してください」という趣旨のメッセージを表示する。
【００４０】
その後に、Ｓ５０９、Ｓ５１０では、スタートキー２３かキャンセルキー２４の押下を待つ。ユーザが、キャンセルキー２４を押下すれば、Ｓ５１０から終了へ向かう。ユーザがメッセージに従ってＣＤのラベル面を原稿台に乗せてスタートキー２３を押下すると、Ｓ５０９からＳ５１１へ進む。
【００４１】
Ｓ５１１では、ラベル面画像を解析する目的で、Ｓ５０４と同様に、低解像度でプレスキャンを行う。そして、Ｓ５１２では、スキャン画像に基づいて、ＣＤが置かれている位置を検出する。
【００４２】
次に、Ｓ５１３で、プレスキャン画像を解析する。
【００４３】
図６は、プレスキャン画像を解析する動作を示すフローチャートである。
【００４４】
まず、Ｓ７０１で、ラベル面の色のヒストグラムを作成する。スキャンした画像は、２４ｂｉｔ（約１６７７万色）であるので、全色に対してヒストグラムを作成することは、インクジェット複合機１００のような機器のメモリ量では不可能である。そこで、ＲＧＢの各色を１６段階に分割し、すなわち、ＲＧＢの色空間を、１６＊１６＊１６＝４０９６個の小空間に分割し、各空間に属する色の出現頻度をカウントする。
【００４５】
そして、各空間に属する色の出現頻度が、特定数を上回っている小空間に属する色が、印刷色であると判定する。非印刷部分は、暗い茶色とグレーとの中間のような色であるが、グラデーションになっているので、非印刷部分の色は、多くてもひとつの色で十数パーセントにしかならない。したがって、ある小空間の頻度が、前記十数パーセントを超えたときに、印刷色であるとみなすことができる。
【００４６】
次に、図３に戻って説明を続ける。Ｓ５１４では、印刷されるＣＤラベルの出来上がり状態を確認できるように、印刷結果を示す画像を作成する。ここでは、プレスキャン画像を画素毎に、順に、画像処理する。
【００４７】
次に、１画素分の画像処理について説明する。
【００４８】
図7は、１画素分の画像処理の動作を示すフローチャートである。
【００４９】
まず、Ｓ８０１で、コピーエリアであるかどうかを判定する。コピーエリアであるかどうかを判定する場合、処理対象画素の中心からの距離に基づいて、判定する。コピーエリアでなければ、何もしない。
【００５０】
コピーエリアであれば、Ｓ８０２では、Ｓ５１１で取得したプレスキャン画像とＳ５０７で保存したデータ記録面画像とに基づいて、ディスク上の同じ位置に特定の画素を読み出し、比較する。前記のように、データ記録面と、ラベル面の非印刷部分とは、ピットのあるアルミ面を表と裏とから見た画像であるので、互いに似ている。したがって、ラベル面の色がデータ記録面の色に近ければ、そのラベル面は、非印刷部分である可能性が高いので、Ｓ８０４へ進む。
【００５１】
色が近いかどうかを判定する場合、Ｌａｂ空間やＹＣｂＣｒ空間での２つの色の色差を、特定値ｔｈと比較する方法でもよく、輝度と色差のそれぞれを、別個に、異なる特定値ｔｈと比較する方法でもよい。また、色が近いかどうかを判定する場合、ＲＧＢ空間での２つの色の距離を、特定値ｔｈと比較する方法でもよく、Ｒ同士、Ｇ同士、Ｂ同士の差がすべて特定値ｔｈ以下であるときに、互いに色が近いと判定するようにしてもよく、いくつか判定方法がある。色が近くなければ、Ｓ８０３へ進み、印刷部分として、プレスキャン画像の画素を、印刷結果画像として採用する。
【００５２】
Ｓ８０４では、Ｓ７０２で印刷色であると判定した小空間に属するかどうかを、判定する。前記小空間に属するのであれば、データ記録面画像に似ている色であっても、実は、印刷色であるので、Ｓ８０３で印刷部分の処理を行い、終了する。印刷色でなければ、非印刷部分であるので、Ｓ８０６へ進む。
【００５３】
Ｓ８０６では、非印刷部分としての処理を行う。非印刷部分は、ＣＤラベル上では、金属光沢で光って見えるが、白地のプリンタブルＣＤ−Ｒに、インクジェットによる描画で金属光沢を表現することは困難である。そこで、実施例１では、非印刷部分は、プリンタブルＣＤ−Ｒの地の色を出すようにした。このために、非印刷部分であると判定した当該画素を、白に置換して表示することによって、プリンタブルＣＤ−Ｒの地の色であることを示す。
【００５４】
Ｓ８０６で置換処理を行った画素について、処理を終了する。
【００５５】
次に、図３に戻って続きを説明する。Ｓ５１５では、印刷結果を表示するが、２種類の画像を表示する。１つは、Ｓ５１４で作成した印刷結果の画像であり、もう１つは、プレスキャン画像そのものである。
【００５６】
つまり、Ｓ５１４の画像処理を、実際のプリンタブルＣＤ−Ｒのラベル印刷で実行するか、実行しないかを、ユーザに選択させるために、画像処理を行った場合と、そうでない場合とを表示させる。
【００５７】
図７に示す画像処理では、多様なＣＤラベルの印刷部分と、非印刷部分とを完全に判定することが困難であり、誤判定の多発した状態で印刷することを避けるために、画像処理をする／しないを、ユーザに判定してもらう必要がある。特に、印刷してあっても、印刷色が、データ記録面の色に近い場合や、印刷面の表面が、光沢度の高い場合などに、誤判定が起き易い。
【００５８】
次に、Ｓ５１６〜Ｓ５１８では、ユーザの入力を待つ。キャンセルキー２４が押されると、Ｓ５１８からＣＤラベルコピー動作を中止し、終了する。ユーザが、非印刷部分の画像処理を行わないコピーを選択すると、Ｓ５１６からＳ５１９へ進む。
【００５９】
Ｓ５１９では、Ｓ５１２で検出したＣＤの位置に基づいて、ＣＤラベルを、たとえば６００ｄｐｉなどの高解像度でスキャンし、プリンタの印字データに変換し、印刷する。
【００６０】
Ｓ５１６〜５１８の待機中に、非印刷部分の画像処理を行うコピーを、ユーザが選択したか否かを、Ｓ５１７で判断する。ＹＥＳであると判断すると、Ｓ５２０で、やはりＣＤのラベル面を、６００ｄｐｉなどの高解像でスキャンし、各画素について、図７に示すフローチャートの処理と同じ処理を行った後に、プリンタの印字データに変換し、印刷する。
【００６１】
このときに、高解像度スキャンした画像の各画素毎に、対応する位置のデータ記録面画像（Ｓ５０７で保存した画像）の位置を算出し、Ｓ８０２の比較処理を行う。データ記録面画像の位置を算出する場合、高解像度画像の解像度、ｘ座標、ｙ座標、データ記録面画像の解像度に基づいて、データ記録面画像の位置を算出することができる。
【００６２】
次に、Ｓ５０６でデータ記録面画像をＢ方向とＣ方向と（放射方向）に拡張した理由について再度説明する。
【００６３】
高解像度画像に対応するデータ記録面画像を処理するときに、たとえば、ラベルの外周エッジ付近を処理するときに、Ｓ５０５でのデータ記録面画像の切り出し位置が微妙にずれている場合がある。この場合、比較対象のデータ記録面画像が、アルミ部分から外れた無色透明の部分であることがある。このときに、非印刷部分であると判定すべき画素を、印刷部分であると誤判定する可能性がある。そこで、図５に示すように、データ記録面画像を外側に広げ、このようにすれば、印刷部分であると誤判定することを防止でき、高い安定性を有する装置を提供することができる。
【００６４】
前記のように、ＣＤのラベル面をコピーする場合、ＣＤのデータ記録面の画像と、ＣＤのラベル面の画像とを比較し、互いに色の近い部分が非印刷部分であると判定し、白に置換する等、適切な処理を行う。このようにすることによって、コピー元のディスク上できらきら光っている部分が黒っぽくコピーされることを防止することができ、この結果、従来よりもオリジナルに近い印象のコピーを得ることができる。
【００６５】
また、Ｓ５０４で、データ記録面をスキャンし、Ｓ５０７で、ＤＲＡＭ３に記憶するが、データ記録面の画像は、ＣＤ個々の差異が少ないので、平均的なデータ記録面画像をＲＯＭ２に記憶し、これによって、Ｓ５０１〜Ｓ５０７のステップが不要になる。このようにすれば、誤判定が増えるが、操作性は改善される。
【００６６】
このときに、データ記録面画像を、ＪＰＥＧ等で圧縮し、ＲＯＭ２に格納し、ＣＰＵ１のソフトウェア処理によって、ＤＲＡＭ３に展開してから、Ｓ５０８を実行するようにすれば、ＲＯＭ容量の増大による装置のコストアップを抑制することができる。
【００６７】
本発明の基本的概念は、ラベル面のうちで非印刷部分を検出し、適切な処理を行うことであり、検出の方法は、ＣＤのラベル面の反対面（データ記録面）の色に近い部分は、非印刷部分であるとみなすことを基本としている。ラベル面のうちで非印刷部分と、データ記録面とは、ピットのあるアルミ面を表と裏とから見たものであり、色が似ているので、データ記録面と色の近い部分を、非印刷部分であると判定する。
【００６８】
さらに、ラベル面のうちで非印刷部分の色は、場所によっては、図８に示すように、異なる色（濃度）で読み取られるが、データ記録面についても、これと同じ傾向があり、データ記録面と色の近い部分を、非印刷部分であると判定することができる。
【００６９】
実施例１は、スキャナと、スキャナで読み取ったＣＤなどのディスクメディアのラベルを前記印刷可能なディスクメディアに印刷するＣＤラベルコピー機能とを持つ。そして、実施例１は、記録面スキャン画像を記憶する手段と、ラベル面スキャン画像と記録面スキャン画像とを演算した結果に従って、ラベル面スキャン画像に処理を加える手段とを有する。また、実施例１は、この処理が加えられたラベル面スキャン画像をプリンタブルディスクメディアに印刷する手段を有する。
【００７０】
前記「記録面スキャン画像」は、ディスクメディアのデータ記録面を前記スキャナが読み取った画像である。
【００７１】
また、実施例１は、記録面スキャン画像の記憶手段としてＲＯＭを設け、ディスクメディアのデータ記録面の画像データを、予め記憶しておくこともできる。この場合、データ記録面側の読み取り動作を行う必要がない。または記録面の画像をスキャンして記憶する手段を有する。
【００７２】
さらに、実施例１は、記録面スキャン画像の特定の画素と対応する位置にあるラベル面スキャン画像の画素を比較演算し、色の類似度が特定量以上であれば、ラベル面スキャン画像の当該画素に色変換を行う手段を有する。
【００７３】
そして、実施例１は、ラベル面スキャン画像に回転方向に変倍処理を行ってから、記録面スキャン画像とラベル面スキャン画像とを演算する手段を有する。
【００７４】
さらに、実施例１は、ラベル面をスキャンして記憶する手段と、ラベル面スキャン画像について色空間を小領域に分割した領域ごとに、出現する色の頻度を計測する手段とを有する。また、実施例１は、ラベル面スキャン画像の特定の画素が属する小領域における前記出現頻度が、特定値以上である場合に、ラベル面スキャン画像の当該画素には処理を加えない手段とを有する。
【００７５】
つまり、前記実施例は、ＣＤのデータ記録面の画像をスキャンし、このスキャンしたデータ記録面の画像と、ラベル面をスキャンした画像とを比較し、互いに色が近い部分は、非印刷部分であると判定する。そして、前記ラベル面をスキャンした画像中、非印刷部分であると判定された部分を、白等に置換する処理を行う。
【００７６】
前記実施例によれば、ＣＤラベルの非印刷部分を黒っぽくコピーせず、オリジナルのＣＤラベルに近いコピー画像を得ることができる。
【００７７】
また、前記実施例によれば、ラベル面スキャン画像をＲＯＭに持つので、ラベル面をスキャン操作することが不要であり、操作性が優れている。
【００７８】
さらに、前記実施例によれば、ラベル面をスキャンするので、非印刷部分の判定精度が高い。
【００７９】
そして、前記実施例によれば、ＣＤラベルにおける非印刷面をスキャンすると、グラデーションとしてスキャンされる部分における非印刷部分の判定精度が高い。
【００８０】
また、前記実施例によれば、ラベル面の印刷色が、記録面の色に近くても、印刷部分を非印刷部分であると誤判定することが少ない。
【図面の簡単な説明】
【００８１】
【図１】本発明の実施例１であるインクジェット複合機１００を示すブロック図である。
【図２】インクジェット複合機１００における操作部６を示す外観構成図である。
【図３】ＣＤラベルコピー動作を示すフローチャートである。
【図４】切り出したデータ記録面の画像を示す図である。
【図５】ＣＤのデータ記録面をスキャンしたスキャン画像を拡張した状態を示す図である。
【図６】プレスキャン画像を解析する動作を示すフローチャートである。
【図７】１画素分の画像処理の動作を示すフローチャートである。
【図８】全く印刷していないＣＤを読み取った後に、この読み取ったデータに特別な処理を施さずに印刷した場合を模式的に示した図である。
【符号の説明】
【００８２】
１００…インクジェット複合機、
１…中央演算処理部（ＣＰＵ）、
２…ＲＯＭ、
５…表示部、
６…操作部、
７…記録部、
８…カラー読取部、
９…カードスロット、
１０…ＵＳＢインタフェース、
１１…システムバス。
【図１】
2007280484.tif 000003
【図２】
2007280484.tif 000004
【図３】
2007280484.tif 000005
【図４】
2007280484.tif 000006
【図５】
2007280484.tif 000007
【図６】
2007280484.tif 000008
【図７】
2007280484.tif 000009
【図８】
2007280484.tif 000010